(57)【要約】【課題】    ラック又はパレット枠等に、積み荷中のパレット等を挿入する様式でも、場所の効率的利用を目指すので当然に挿入間口を狭くするべきだが、挿入するパレット等を間口の真ん中を直角に狙う高度な挿入技術の必要性を考慮すれば、ある程度の隙間が必要となるので、結果、枠の挿入間口も全体も結構大きな物になっていたから、挿入する物は同じでも挿入の作業性も良く置き場所も狭くできるラック又はパレット枠等が求められている。【解決手段】    本願発明は、上記の技術課題を解決するために、上面が四角形の角部に立設する４本の主要な支柱で構成されるパレット枠において、間口の支柱から奥の必要区間まで、間口の支柱内側面とほぼ同一面上となる耐横荷重用補強付き案内が、間口辺とほぼ直角となる形で具備される構造のパレット枠にした。【選択図】図２
2009018863.tif 000002
【特許請求の範囲】
【請求項１】
上面が四角形の角部に立設する４本の主要な支柱で構成される枠等において、挿入するパレット等の位置決めを容易にするために、当該枠内の案内側の側面へ、フォ−クリフト等の運転操作によって搬送するパレット等の側面を当接させながら、挿入角度が設計より多少異なる事で案内側に横荷重が生じる場合でも挿入可能となるように、間口の支柱から奥の必要区間まで、間口の支柱内側面とほぼ同一面上となる耐横荷重用補強付き案内が間口辺とほぼ直角となる形で具備された構造を特徴とするパレット枠。
【発明の詳細な説明】
【技術分野】
【０００１】    本願発明は、上面が四角形の角部に立設する４本の主要な支柱で構成される枠等において、挿入するパレット等の位置決めを容易にするために、当該枠内の案内側の側面へ、フォ−クリフト等の運転操作によって搬送するパレット等の側面を当接させながら、挿入角度が設計より多少異なる事で案内側に横荷重が生じる場合でも挿入可能となるように、間口の支柱から奥の必要区間まで、間口の支柱内側面とほぼ同一面上となる耐横荷重用補強付き案内が、間口辺とほぼ直角となる形で具備されるので、挿入に必要とする隙間を案内側では無しにできる構造を特徴とするパレット枠に関するものである。
【背景技術】
【０００２】    従来技術の特許公開２００３−４０２７０発明の名称、パレットサポ−ト並びにラック構造物と、本願発明者と同じ発明者出願の特願２００６−３３９１８１発明の名称、非装着体に立設する支柱の位置替えで支柱間の内幅寸法と座屈強度の変更が可能なパレット枠等では、いずれも間口支柱間内側面に案内がないので、フォ−クリフト等の運転操作によって挿入するパレット等を、間口の真ん中を直角に狙う高度な技術を必要とするため挿入時に想定しない支柱に衝突させる事故も発生していた。
【発明の開示】
【発明が解決しようとする課題】
【０００３】    課題として、ラック又はパレット枠等に、積み荷中のパレット等を挿入する様式にすれば、場所の効率的利用を目指すなら出来るだけ隙間を狭くする必要があるが、現実的にフォ−クリフト等の運転操作によって挿入するパレット等を、間口の真ん中を直角に狙う高度な挿入技術を必要とする作業性を考慮すれば、ある程度の隙間が必要となるので、それぞれの枠の挿入間口も全体も結構大きな物になっていたため、利用者側からは、挿入する物は同じでも、挿入の作業性も良く置き場所も最小限狭くできるラック又はパレット枠等が求められている。
【課題を解決する為の手段】
【０００４】    本願発明は、上記の技術課題を解決するために、上面が四角形の角部に立設する４本の主要な支柱で構成されるパレット枠において、間口の支柱から奥の必要区間まで、間口の支柱内側面とほぼ同一面上となる耐横荷重用補強付き案内が、間口辺とほぼ直角となる形で具備される構造にした。その手段は以下請求項１の詳細説明の通りである。
【０００５】    本願発明の請求項１では、図１でも示すように、上面が四角形５の角部に立設する４本の主要な支柱４で構成されるパレット枠において、当該枠と設置床面との摩擦抵抗力、又はフォ−クリフト等図４でも示す１０の爪上面と挿入パレット等６との摩擦抵抗力が、当接する案内１の反力との差で生じる挿入時の滑走現象を利用して、挿入時の位置決めが容易な当該枠内の案内側１の側面へ、フォ−クリフト等１０の運転操作によって搬送するパレット等６の側面を当接させながら、挿入角度が図４のように設計より多少異なる事で案内側に横荷重が生じる場合でも挿入可能とする為に、間口の支柱４から奥の必要区間まで、間口の支柱内側面とほぼ同一面上となる耐横荷重用補強図１でも示す２、３付き案内１が、間口辺とほぼ直角となる形で具備される構造にした。
【発明の効果】
【０００６】    本願発明の請求項１によって発明されたパレット枠は、挿入するパレット等の位置決めを容易にするために、当該枠内の案内側の側面へ、フォ−クリフト等の運転操作によって搬送するパレット等の側面を当接させながら、挿入角度が設計より多少異なる事で案内側に横荷重が生じる場合でも挿入可能となるように、間口の支柱から奥の必要区間まで、間口の支柱内側面とほぼ同一面上となる耐横荷重用補強付き案内が、間口辺とほぼ直角となる形で具備されるので、挿入時において、当該枠と設置床面との摩擦抵抗力とフォ−クリフト等の爪上面と挿入パレット等との摩擦抵抗力が、当接する案内の反力によって、どちらか摩擦抵抗力の少ない方の滑走現象で、挿入パレット等６の側面が案内１に当接した形で当該枠内に納まるので、挿入に必要とする隙間を案内側では無しにできる。且つ、挿入時には片側だけの支柱位置確認ですむので作業性も向上する。結果、当該枠は間口の片側の隙間を０にした分だけ外形が縮小するので、置き場所も最小限に狭くできるパレット枠となる。
【発明を実施するための最良の形態】
【０００７】    本願発明の実施例として、以下に図面を参照しながら詳細に説明する。【０００８】    本願発明の請求項１のパレット枠では、図１でも示すように、上面が四角形５の角部に立設する４本の主要な支柱４で構成されるパレット枠において、当該枠と設置床面との摩擦抵抗力、又はフォ−クリフト等図４でも示す１０の爪上面と挿入パレット等６との摩擦抵抗力が、当接する案内１の反力との差で生じる挿入時の滑走現象を利用して、挿入時の位置決めが容易な当該枠内の案内側１の側面へ、フォ−クリフト等１０の運転操作によって搬送するパレット等６の側面を当接させながら、挿入角度が図４のように設計より多少異なる事で案内側１に横荷重が生じる場合でも挿入可能とする為に、間口の支柱４から奥の必要区間まで、間口の支柱内側面４とほぼ同一面上となる耐横荷重用補強図６でも示す２、３と取付け金具図７でも示す７、９付きの案内１が、間口辺とほぼ直角となる形で支柱４に具備される構造が、当該枠の片側を隙間０にした分だけ外形を縮小でき、且つ、挿入作業も容易にできる最良の形態のパレット枠である。
【図面の簡単な説明】
【０００９】
【図１】    本願発明の名称、挿入案内付きパレット枠の組立て完了の全体斜視図。
【図２】    本願発明の請求項１に当るパレット枠にパレット積載荷物を挿入した全体斜視図。
【図３】    従来技術の本願発明者と同じ発明者出願の特願２００６−３３９１８１発明の名称、非装着体に立設する支柱の位置替えで支柱間の内幅寸法と座屈強度の変更が可能なパレット枠の奥の支柱に、パレット等６が衝突した状態を図１０で示すＹ−Ｙ線の断面図。
【図４】    本願発明の実施例で、設計と多少異なった角度で挿入したパレット等が、当接する案内の反力によって、どちらか摩擦抵抗力の少ない方の滑走現象で、挿入パレット等６の側面が案内１に当接した形で当該枠内に納まった状態を図２で示すＸ−Ｘ線の断面図。
【図５】    本願発明の実施例で、案内１の上面図。
【図６】    本願発明の実施例で、案内１の正面図。
【図７】    本願発明の実施例で、案内１の取付け前の取付け部分拡大図。
【図８】    本願発明の実施例で、案内１の取付け後の取付け部分拡大図。
【図９】    従来技術の特許公開２００３−４０２７０発明の名称、パレットサポ−ト並びにラック構造物の全体斜視図。
【図１０】    従来技術の本願発明者と同じ発明者出願の特願２００６−３３９１８１発明の名称、非装着体に立設する支柱の位置替えで支柱間の内幅寸法と座屈強度の変更が可能なパレット枠にパレット積載荷物を挿入した全体斜視図。
【符号の説明】
【００１０】  １    図１、２、４、５、６、７、８で示す案内。
２    図１、２、４、５、６、７、８で示す案内の耐横荷重用補強。
３    図１、２、６、７、８で示す案内の耐横荷重用取付けガイド付き補強。
４    図１、２、４、７、８で示す支柱。
５    図１、２で示す支柱が角部に立設するパレット。
６    図２、３、４、１０で示す挿入の荷物積載用パレット。
７    図１、４、５、６、７、８で示す案内側の案内取付け具。
８    図１、７、８で示す支柱側の案内受け具。
９    図７、８で示す案内取り付け具の差込み爪。
１０  図３、４で示す挿入作業用のフォ−クリフト等。
１１  図３、１０で示すパレット枠の支柱。
【図１】
2009018863.tif 000003
【図２】
2009018863.tif 000004
【図３】
2009018863.tif 000005
【図４】
2009018863.tif 000006
【図５】
2009018863.tif 000007
【図６】
2009018863.tif 000008
【図７】
2009018863.tif 000009
【図８】
2009018863.tif 000010
【図９】
2009018863.tif 000011
【図１０】
2009018863.tif 000012